(57)【要約】【課題】避難者の安全な避難が可能で、かつ、装置全体をコンパクトにすることのできる避難装置を提供することを目的とする。【解決手段】床面１に開設された避難用開口２を閉塞するとともに、避難者Ａの重量を利用して前記避難用開口２の閉塞位置から下方に位置する避難先３に降下する昇降プレート４と、  減速装置５により回転速度が規制されたドラム６に巻き付けられて繰り出し速度が規制されたワイヤ７の繰り出し端を前記昇降プレート４に連結して昇降プレート４の降下速度を制限する緩降装置８と、  避難用開口２と避難先３との間に架設されて前記昇降プレート４をガイドし、昇降プレート４の降下時の横揺れを規制するガイド支柱９とを有して避難装置を構成する。【選択図】図７
2010167208.tif 000002
【特許請求の範囲】
【請求項１】
床面に開設された避難用開口を閉塞するとともに、避難者の重量を利用して前記避難用開口の閉塞位置から下方に位置する避難先に降下する昇降プレートと、
減速装置により回転速度が規制されたドラムに巻き付けられて繰り出し速度が規制されたワイヤの繰り出し端を前記昇降プレートに連結して昇降プレートの降下速度を制限する緩降装置と、
避難用開口と避難先との間に架設されて前記昇降プレートをガイドし、昇降プレートの降下時の横揺れを規制するガイド支柱とを有する避難装置。
【請求項２】
前記昇降プレートの避難用開口の閉塞位置からの降下を作動状態において規制するストッパを有する請求項１記載の避難装置。
【請求項３】
前記ワイヤには昇降プレートを引き上げる方向の初期張力が重錘により与えられ、
前記昇降プレートは、引き上げ方向の移動により避難用開口を下方から覆って閉塞する蓋体を備える請求項１または２記載の避難装置。
【請求項４】
前記避難用開口は家屋のベランダの床面に開設され、
前記昇降プレートは、少なくとも避難用開口を下方から覆って閉塞する蓋体を除いて、不使用時に避難用開口に収容される請求項１ないし３のいずれかに記載の避難装置。
【発明の詳細な説明】
【技術分野】
【０００１】
本発明は避難装置に関するものである。
【背景技術】
【０００２】
火災時等の非常時に階下に避難するための避難装置としては、特許文献１に記載のものが知られている。この従来例において、避難装置は上階に固定される主滑車に巻き付けられる主ロープに吊り座椅子を吊り下げて形成される。
【先行技術文献】
【特許文献】
【０００３】
【特許文献１】特開昭５９-１１８１６９号公報
【発明の概要】
【発明が解決しようとする課題】
【０００４】
しかし、上述した従来例において、座椅子は容積を取るために、避難装置を使用しない場合には邪魔で、避難装置自体も大型化するという欠点がある。この問題は、座椅子をプレート状のものに代えることにより解消することができるが、この場合、ロープに固定されただけのプレート体は揺れが激しく、利用者の安全な避難が困難になる。
【０００５】
本発明は、以上の欠点を解消すべくなされたものであって、避難者の安全な避難が可能で、かつ、装置全体をコンパクトにすることのできる避難装置を提供することを目的とする。
【課題を解決するための手段】
【０００６】
避難装置は、床面１に開設された避難用開口２からその下方に位置する避難先３まで避難者Ａを移動させるための昇降プレート４を有する。避難者Ａが昇降プレート４に搭乗すると、昇降プレート４は避難者Ａの重量により避難先３に向けて降下する。
【０００７】
昇降プレート４の降下速度は緩降装置８により減速され、かつ、昇降プレート４はガイド支柱９にガイドされて降下時の不用意な揺れ等が発生することがないために、昇降プレート４には、降下時の揺れに備えた柵、着座部材を設ける必要がなく、装置をコンパクトに構成することができる上に、避難者Ａの安全な避難も可能になる。
【０００８】
昇降プレート４は不使用時に避難用開口２を閉塞しており、集合住宅においてはプライバシーの侵害に繋がるような不要な開口部が床面１に発生してしまうことを防止する。また、このように避難者Ａが搭乗する昇降プレート４自体を避難用開口２の閉塞手段として用いることにより、別途閉塞手段を設ける必要がなく、装置をコンパクトにすることができるとともに、動作信頼性が向上する。避難用開口２の昇降プレート４による閉塞は、避難用開口２の開口広さに対して昇降プレート４の広さをほぼ合致させたり、あるいは昇降プレート４の底面に避難用開口２の開口広さよりも大きい広さの底板を設けて実現することができる。
【０００９】
ガイド支柱９は架設状態で上下端が容易に水平変位することなく、昇降プレート４の降下姿勢、経路をガイドして降下時の昇降プレート４の揺れを規制できれば足り、避難用開口２を開設する床面１および避難先３に上下端が強固に固定されたもの以外、下端のみが避難先３に強固に固定されて避難先３上に立設されて上端が上記床面１に水平移動不能に支持されたもの、あるいは、上記床面１側から吊り下げられ、下端が避難先３に水平移動不能に支持されたものであってもよい。このガイド支柱９は、上述した昇降プレート４を水平方向の平面上における避難用開口２の閉塞位置にガイドするものとしても機能する。
【００１０】
また、ガイド支柱９は、避難装置の不使用時においても架設状態が維持されるもの以外、避難装置の使用時においてのみ上記床面１側から伸長、降下するものであってもよい。
【００１１】
緩降装置８は、ドラム６からの繰り出し速度が制限されたワイヤ７により昇降プレート４を吊り下げることによって昇降プレート４の落下速度を制限するもので、ワイヤ７の繰り出し速度の制限は、減速装置５を使用してドラム６の回転速度を制限することにより行われる。減速装置５は、機械的摩耗式、ディスクダンパ等の流体抵抗式、あるいはこれらを併用したブレーキとして構成することが可能であり、さらに、ドラム６の回転数が所定の回転数以上になったときに動作する遠心式ブレーキ等の自動ブレーキとして構成することもできる。
【００１２】
また、避難用開口２を閉塞する閉塞位置からの昇降プレート４の降下を規制するストッパ１０を設けることができる。これによれば、避難者Ａは昇降プレート４に搭乗した後、降下に対する心構えをしてからストッパ１０を解除操作することで安心して避難することができる。また、ストッパ１０は、避難者Ａを乗せた際の昇降プレート４の降下速度、特に降下初速が十分に低く設定されていない場合において床面１から昇降プレート４への避難者Ａの安全な乗り移りのためにも、あるいは、避難時以外において誤って昇降プレート４に乗ってしまったときの昇降プレート４の不要な降下動作を規制するためにも望ましい。すなわち、ストッパ１０は昇降プレート４による避難用開口２の閉塞状態を維持するものとしても機能する。
【００１３】
この場合、ストッパ１０を、ガイド支柱９、または昇降プレート４のいずれか一方に配置されるストッパ部材１０ａと、他方に形成される被係止部１０ｂとを有して形成することができる。
【００１４】
上記ワイヤ７には、重錘１１を使用して昇降プレート４を上方に引き上げる方向の張力を与えることができる。重錘１１は昇降プレート４に避難者Ａが搭乗していない状態では昇降プレート４を上昇駆動することができ、搭乗状態では降下動作に影響を与えない値に設定される。このように、ワイヤ７に初期張力を与えると、避難者Ａが避難先３に達して昇降プレート４から降りると、昇降プレート４は自動的に避難用開口２を閉塞する位置に復帰することから、床面１上に残された他の避難者Ａが続いて避難することができる。
【００１５】
また、上記昇降プレート４は、上述したように、避難用開口２を下方から覆って閉塞するための蓋体１２を備えることができる。昇降プレート４による避難用開口２の閉塞を、下方から避難用開口２を覆って実現することで、上述した重錘１１による昇降プレート４の上昇駆動を利用して避難用開口２の自動閉塞を行うことができる。この場合、蓋体１２は、昇降プレート４の上昇駆動ストロークを避難用開口２の閉塞位置までに制限するものとしても活用することが可能で、これによれば別途昇降プレート４の上昇駆動ストロークを制限するための部材が必要ないために構造が簡易になる。また、昇降プレート４の上昇駆動ストロークを制限する部材を別途設けた場合には、蓋体１２の強度等について避難用開口２の閉塞のみを条件にして決定することができ、昇降プレート４の軽量化等を図れる。
【００１６】
また、上述した重錘１１を使用した初期張力の付与は、重錘１１により張力を与えられた復帰用ワイヤ７’をドラム６に巻き付けることにより実現することができる。復帰用ワイヤ７’は、上記ワイヤ７の一部として構成することも、あるいは上記ワイヤ７とは別体に構成することも可能であり、上記ワイヤ７と復帰用ワイヤ７’とを別体で構成すると、復帰用ワイヤ７’の巻回径を上記ワイヤ７の巻回径と異ならせることができるために、設計の自由度が高まる。これに対し、復帰用ワイヤ７’を上記ワイヤ７の一部として構成する場合、すなわち、重錘１１により初期張力を与えられたワイヤ７を適数巻きドラム６に巻回し、反対端を昇降プレート４が連結される繰り出し端とするように構成すると、ドラム６に別途ワイヤ７巻回輪を構成することがなくなる上に、ワイヤ７も一本で済むために構造が簡単になる。
【００１７】
さらに、重錘１１は、直接ワイヤ７に連結することも可能であるが、動滑車１４を介して張力を付加すると、重錘１１の移動距離を昇降プレート４の昇降距離の半分にすることができる。また、重錘１１は適宜位置に配置することができるが、ガイド支柱９を中空筒形状に形成してその中空部に上下移動自在に収容して重錘１１の外部への露出を防止することが望ましい。
【００１８】
加えて、避難装置は、特に集合住宅等のベランダ１３の床面１に避難用開口２を設け、下階のベランダ１３を上階のベランダ１３からの避難先３として構成することができる。この場合、昇降プレート４の上述した蓋体１２を除く全高をベランダ１３の床スラブ厚寸法以下に設定し、床スラブに開設した避難用開口２内のスペースを利用して不使用の昇降プレート４を収納すると、不使用時に場所をとることがなく、目立たない上に、いたずらを防ぐこともできる。上述したように昇降プレート４を避難用開口２の閉塞手段としても機能させることにより、別途独立した閉塞手段を設ける場合に比して厚さ寸法をより少なく抑えることができる。また、ベランダ１３に開設した避難用開口２に枠状のケース１５を嵌合させて固定し、該ケース１５に、上述したドラム６、および避難用開口２を上方から閉塞する上蓋１５ａを固定、連結した避難装置を構成すると、施工作業性が向上する。
【００１９】
なお、上述したようにストッパ１０を設けた場合、ストッパ１０を昇降プレート４の避難用開口２閉塞位置への復帰により作動状態に自動復帰させることも可能で、これによればストッパ１０の掛け直し操作が不要となるために、使い勝手が向上する。この場合、ストッパ部材１０ａは、ガイド支柱９側に設けられる場合を例に取ると、昇降プレート４側に付勢され、昇降プレート４が上方ストローク終端位置に復帰すると、付勢力により昇降プレート４に形成された被係止部１０ｂに係止し、昇降プレート４の降下が規制される。このように付勢力を利用してストッパ１０を構成すると、簡単な構造で動作信頼性を高めることができる。さらに、昇降プレート４に、踏み込み操作によりストッパ１０を解除するストッパ解除ペダル１６を装着すると、踏み込み操作によりストッパ１０の解除操作を行うことができるため、力のない老人等であっても容易に操作することができる。
【００２０】
また、上述した昇降プレート４には、起立状態で避難者Ａに手掛けを提供するハンドル１７を装着することも可能である。ハンドル１７は避難装置を使用しないときには、昇降プレート４に対して倒伏姿勢で装着することが可能で、この場合、不使用時の装置の小型化が図られる。ハンドル１７は、伸縮操作自在な脚１７ａの上端にハンドル本体１７ｂを固定してＴ字形状に形成することが可能であり、このように構成すると、使用時におけるハンドル本体１７ｂの位置を昇降プレート４から高い位置に設定することが可能になるために、避難者Ａは立った姿勢で安全に下階に避難することができる。
【発明の効果】
【００２１】
以上の説明から明らかなように、本発明によれば、避難者の安全な避難が可能で、かつ、装置全体をコンパクトにすることができる。
【図面の簡単な説明】
【００２２】
【図１】本発明を示す図で、（ａ）は家屋のベランダを示す図、（ｂ）は避難装置の上蓋を開放した状態を示す図である。
【図２】避難装置を示す断面図である。
【図３】図２の要部を示す図で、（ａ）は断面図、（ｂ）はローラを示す断面図、（ｃ）は、緩降装置を示す（ａ）の３ｃ方向矢視図である。
【図４】ストッパを示す図で、（ａ）は作動状態を示す図、（ｂ）はストッパ解除状態を示す図である。
【図５】昇降プレートを示す斜視図である。
【図６】避難先に到達した昇降プレートを示す斜視図である。
【図７】避難方法を示す斜視図である。
【図８】緩降装置を示す図で、（ａ）は上方ストローク終端位置にある状態を示す図、（ｂ）は（ａ）から降下した状態を示す図である。
【図９】避難用開口を下階側から見た状態示す斜視図で、（ａ）は避難用開口が閉塞されている状態を示す斜視図、（ｂ）は避難時に避難用開口が開放された状態を示す斜視図である。
【発明を実施するための形態】
【００２３】
図１、２に本発明の実施の形態を示す。この実施の形態において避難装置は、非常時に上階のベランダ１３から下階のベランダ１３（避難先３）に避難するために設置され、上階のベランダ１３の床スラブに開設される避難用開口２内に嵌合固定されるケース１５と、ケース１５内の空間を利用して収納される昇降プレート４と、下階の床スラブ上に立設されるガイド支柱９とを有する。
【００２４】
ケース１５は、金属製の板材の複数を溶接固定して平面視矩形の略筒状に形成され、上下端部にはそれぞれ外側に向かって張り出すフランジ１５ｂ、１５ｃが形成される。ケース１５の上方開放部、すなわち床スラブの避難用開口２の上端は、ケース１５に対して枢軸１５ｄ周りに回転自在に連結される上蓋１５ａにより閉塞されており、図１（ｂ）に示すように、非常時に上蓋１５ａを開放すると、内部の昇降プレート４が現れる。ケース１５上端部のフランジ１５ｂは上蓋１５ａを閉じたときにその周縁を裏面側から支持する。また、ケース１５下端部のフランジ１５ｃはベランダ１３の床スラブの裏面に乗り上げ、例えばフランジ１５ｃ外周において生じるおそれがある不陸を適宜吸収できる程度にフランジ１５ｃの裏面が床スラブから離隔する。なお、図２において１８と１９は上蓋１５ａがみだりに開かないように閉じた姿勢に仮保持するためのロック手段と被ロック手段、２０は、上蓋１５ａを閉じるときの取手としても使用可能で、誤って人が乗ってしまったときの上蓋１５ａの変形を防止するための補強部材である。
【００２５】
ガイド支柱９は適宜の座屈強度を有する中空パイプ体であり、例えばアルミニウムを押し出し成型して形成される。図２、図３に示すように、このガイド支柱９の上端は固定金具２１を使用してケース１５の内壁の上端部に固定される。また、ガイド支柱９の下端はアンカー部材９ａを使用して下階のベランダ１３の床スラブに固定される。
【００２６】
上記昇降プレート４は枠状基部４ａの上面に平板状のステージプレート４ｂを固定して形成される。図３に示すように、枠状基部４ａの前端部（以下、本明細書において、ガイド支柱９が設けられる側を「前方」とする。）にはガイド支柱９の四隅部に当接するローラ２２が支軸２２ａ周りに空転自在に装着されており、昇降プレート４は、このローラ２２を転動させながらガイド支柱９に沿って昇降動作することができる。昇降プレート４の上下のストローク終端を決定するために、ガイド支柱９の上端部には上部ストローク規制ストッパ２３ａが、下端部には下部ストローク規制ストッパ２３ｂが固定される。
【００２７】
上述したように枠状基部４ａにステージプレート４ｂを固定したときの平面視における大きさは、ケース１５の開口よりもひとまわり小さくなるように設定される。また、上記ステージプレート４ｂの上面にはストッパ１０とハンドル１７とが固定され、これらを実装したときにおけるこれらの上端から枠状基部４ａの下端までの高さ寸法は、ケース１５の高さ寸法に比して低背となるように設定される。
【００２８】
図４に示すように、上記ストッパ１０は、先端にフック部１０ｃを備えて枢軸１０ｄ周りに回転自在なストッパ部材１０ａと、ガイド支柱９の上端部に開設された係止孔（被係止部１０ｂ）とを有する。図４（ａ）に示すように、被係止部１０ｂは昇降プレート４がケース１５内の空間を利用して収納されている状態でストッパ部材１０ａのフック部１０ｃが係止する位置に設けられる。
【００２９】
また、昇降プレート４のステージプレート４ｂ上にはストッパ解除ペダル１６が装着される。ストッパ解除ペダル１６は、枢軸１６ａ周りに揺動自在であり、スプリング１６ｂにより前端が上方に移動する方向、すなわち図４において時計回りに付勢される。このストッパ解除ペダル１６の側壁には長孔１６ｃが開設されて上記ストッパ部材１０ａから突設される軸部１０ｅが移動自在に挿入され、ステージプレート４ｂ、ストッパ部材１０ａ、及びストッパ解除ペダル１６はステージプレート４ｂを固定リンクとするリンク装置を構成する。
【００３０】
したがってこの実施の形態において、ストッパ部材１０ａはストッパ解除ペダル１６の付勢力によりフック部１０ｃがガイド支柱９の側壁に圧接する方向に付勢され、図４（ａ）に示すように、昇降プレート４が上方ストローク終端、すなわちケース１５の内部空間を利用して収納された状態で、ガイド支柱９の被係止部１０ｂに係止する。係止状態において、ストッパ解除ペダル１６の前端縁はフック部１０ｃの後端縁に当接しており、昇降プレート４の荷重によりストッパ部材１０ａに発生する図４（ａ）において時計回り、すなわち係止解除方向の操作力に抗してフック部１０ｃの係止状態が維持される。
【００３１】
この結果、昇降プレート４は上方ストローク終端位置に保持され、この状態から図４（ｂ）に示すように、避難者Ａが昇降プレート４に乗ってストッパ解除ペダル１６を反時計回りに回転するように踏み込むと、ストッパ部材１０ａはガイド支柱９との係止解除方向に回転し、支持を失った昇降プレート４は自重により落下する。
【００３２】
また、ストッパ解除ペダル１６への操作力を解除すると、ストッパ解除ペダル１６とストッパ部材１０ａには原位置への復帰力が発生し、これに伴ってストッパ部材１０ａのフック部１０ｃはガイド支柱９の壁面に圧接する。この状態で昇降プレート４が上昇すると、フック部１０ｃが被係止部１０ｂに正対する位置、すなわち上方ストローク終端位置においてフック部１０ｃが被係止部１０ｂに弾発係止し、自動的に作動状態に移行する。
【００３３】
さらに、上記ハンドル１７は、図５、図６に示すように、脚１７ａの一端にハンドル本体１７ｂを固定してＴ字形状に形成される。このハンドル１７は、脚１７ａの下端に開設された貫通長孔１７ｃに取付杆２４を挿通させて昇降プレート４に装着され、図５に示す倒伏姿勢と、図６に示す起立姿勢との間を遷移できる。昇降プレート４には脚挿通孔４ｃが開設されており、ハンドル１７の起立操作は、図５に示すように、取付杆２４が貫通長孔１７ｃの下端に位置する姿勢で脚１７ａを起立させた後、図６に示すように、脚１７ａの下端を脚挿通孔４ｃに落とし込むことにより行うことができる。
【００３４】
また、脚１７ａはテレスコープ状に伸縮操作可能であり、ハンドル１７の使用は、図６に示すように、脚１７ａを引き起こして起立させた後、伸長させて行われる。図７に示すように、ハンドル１７は伸長状態においてハンドル本体１７ｂが避難者Ａの概ね腰の高さに位置し、避難者Ａはこの状態でハンドル本体１７ｂを握ることにより身体を支えることができる。
【００３５】
ストッパ１０が解除されたときの昇降プレート４の降下速度を低減させるために、避難装置には緩降装置８が設けられる。図３、図８に示すように、緩降装置８は、ガイド支柱９の上端部に保持されるドラム６と、一端が昇降プレート４のローラ２２の支軸２２ａに、他端がガイド支柱９の中空内壁の固定点９ｂに固定され、中間部が上記ドラム６に適数回巻き付けられるワイヤ７とを有する。
【００３６】
ドラム６の回転速度は、ドラム６に対して空転不能な回転軸６ａの両端を各々減速装置５に連結することにより所定速度以下に制限される。この実施の形態において、減速装置５にはオイルの粘性を利用して抵抗トルクを発生させるディスクダンパが使用される。
【００３７】
さらに、上記ドラム６に昇降プレート４を引き上げる方向の初期回転力を与えるために、ドラム６とガイド支柱９への固定点９ｂとの間に重錘１１が吊り下げられる。重錘１１の上端には動滑車１４が固定され、この動滑車１４をワイヤ７の上記箇所に乗せると、重錘１１の荷重によってワイヤ７はドラム６からワイヤ７を繰り出す方向の張力が与えられる。
【００３８】
重錘１１の重量は、上述した張力が昇降プレート４の重量による張力に比してやや大きくなるように設定される。この重量の重錘１１をドラム６とガイド支柱９への固定点９ｂとの間に作用させることにより、別途ドラム６に復帰用ワイヤ７’を巻き付けた状態と同様に、ドラム６には、張力の差とドラム６の径の積に等しい大きさで、昇降プレート４を引き上げる方向の回転力が与えられる。
【００３９】
したがってこの実施の形態において、ケース１５の上蓋１５ａを開けた後、ハンドル１７をセットして昇降プレート４に乗り移り、次いでストッパ解除ペダル１６を踏み込むと、ストッパ１０が解除されて昇降プレート４の降下が開始する。昇降プレート４の降下に際して、降下速度が緩降装置８により低減されるとともに、昇降プレート４の揺れがガイド支柱９のガイドにより規制され、かつ、避難者Ａはハンドル１７を握ることにより安定した姿勢をとることができるために、降下の安全を確保できる。
【００４０】
昇降プレート４が下階のベランダ１３への安全な避難が可能な高さまで降下すると、昇降プレート４はガイド支柱９に形成された下部ストローク規制ストッパ２３ｂに当接して降下動作が停止する。ガイド支柱９の下端近傍に位置していた重錘１１は昇降プレート４の降下に伴って降下量の半分に相当する距離だけ上昇し、下方ストローク終端位置において避難者Ａが昇降プレート４から降りると、重錘１１の作用により昇降プレート４は上方に移動する。
【００４１】
昇降プレート４が上部ストローク姿勢ストッパ１０に当接する上方ストローク終端に達すると、上述したようにストッパ１０が作動し、上階に残された他の避難者Ａが避難することができる。
【００４２】
また、上述した昇降プレート４は、図３、図９に示すように、避難用開口２を下階側から閉塞する下蓋（蓋体１２）を備える。下蓋１２は金属製の板材であり、避難用開口２の開口広さよりもひとまわり大きく、外周縁がケース１５下端部のフランジ１５ｃの外周縁に重なる程度の広さに形成される。この下蓋１２は枠状基部４ａの下面に固定され、昇降プレート４がガイド支柱９に形成された上部ストローク規制ストッパ２３ａに当接する上方ストローク終端位置において、ケース１５下端部のフランジ１５ｃの裏面に対して周縁部の表面が当接する。なお、図９において１２ａはガイド支柱９が挿通される支柱挿通孔である。
【００４３】
したがって避難装置を使用しないときには、重錘１１の作用により昇降プレート４は上昇位置をとり、ストッパ１０が作動して当該位置に保持される。この状態で昇降プレート４はケース１５内の空間を利用して収納され、上蓋１５ａを閉じれば、上蓋１５ａの表面がベランダ１３の床面１にほぼ一致して避難装置があまり目立つことなく、ベランダ１３の外観が良好に保たれる。また、このような収納時において昇降プレート４は下蓋１２によって避難用開口２を下階側から閉塞しており、下階側のベランダ１３において居住者が上方を見上げたときにおける外観も良好に保たれる。
【００４４】
避難時には、昇降プレート４の下降に伴って下蓋１２がケース１５のフランジ１５ｃ裏面から離隔し、避難と同時に下蓋１２が確実に開かれる。開いた下蓋１２は昇降プレート４とともに下降するため、避難の邪魔にならない避難者Ａの下方に常に位置し、昇降プレート４が下方ストローク終端に移動したときには、下階のベランダ１３の床面に近接する位置をとる。
【００４５】
なお、以上においてはケース１５下端のフランジ１５ｃが床スラブの裏面に乗り上げ、このフランジ１５ｃに対してさらに下蓋１２が下方から重なる場合を示したが、例えば避難用開口２の下端部を拡幅させ、フランジ１５ｃを床スラブの裏面よりもやや高い位置に潜り込ませるように配置し、さらに、このフランジ１５ｃに下方から下蓋１２を重ねたときに、下蓋１２の裏面が床スラブの裏面と面一になるようにすることも可能である。
【符号の説明】
【００４６】
１  床面
２  避難用開口
３  避難先
４  昇降プレート
５  減速装置
６  ドラム
７  ワイヤ
８  緩降装置
９  ガイド支柱
１０  ストッパ
１１  重錘
１２  蓋体
１３  ベランダ
Ａ  避難者
【図１】
2010167208.tif 000003
【図２】
2010167208.tif 000004
【図３】
2010167208.tif 000005
【図４】
2010167208.tif 000006
【図５】
2010167208.tif 000007
【図６】
2010167208.tif 000008
【図７】
2010167208.tif 000009
【図８】
2010167208.tif 000010
【図９】
2010167208.tif 000011